(57)【要約】【課題】着色剤としてアゾ染料を含有するインク組成物中における起泡を効果的に抑制することができ、これにより連続吐出安定性を向上させたインクジェット捺染用インク組成物を提供する。【解決手段】本発明に係るインクジェット捺染用インク組成物は、着色剤、水、水溶性有機溶剤および界面活性剤を含むインク組成物であって、前記着色剤としてアゾ染料を含み、前記インク組成物中に含まれる前記着色剤以外の成分で構成される組成物の曇点が５０℃以上であることを特徴とする。【選択図】なし【特許請求の範囲】
【請求項１】
着色剤、水、水溶性有機溶剤および界面活性剤を含むインク組成物であって、
前記着色剤としてアゾ染料を含み、
前記インク組成物中に含まれる前記着色剤以外の成分で構成される組成物の曇点が５０
℃以上であることを特徴とする、インクジェット捺染用インク組成物。
【請求項２】
前記着色剤以外の成分で構成される組成物の曇点が７０℃以上である、請求項１に記載
のインクジェット捺染用インク組成物。
【請求項３】
前記インク組成物中における、水の含有量をＭＡ質量％、アゾ染料の含有量をＭＢ質量
％としたときに、ＭＡ／ＭＢの値が１０以下である、請求項１または請求項２に記載のイ
ンクジェット捺染用インク組成物。
【請求項４】
前記アゾ染料が、Ｃ．Ｉ．アシッドオレンジ３３、Ｃ．Ｉ．アシッドオレンジ９４、Ｃ
．Ｉ．リアクティブブラック３９、Ｃ．Ｉ．リアクティブオレンジ１２およびＣ．Ｉ．リ
アクティブオレンジ１３よりなる群から選択される少なくとも１種である、請求項１ない
し請求項３のいずれか一項に記載のインクジェット捺染用インク組成物。
【請求項５】
前記界面活性剤が、非イオン性界面活性剤である、請求項１ないし請求項４のいずれか
一項に記載のインクジェット捺染用インク組成物。
【請求項６】
前記非イオン性界面活性剤が、アセチレングリコール系界面活性剤およびアセチレンア
ルコール系界面活性剤よりなる群から選択される少なくとも１種である、請求項５に記載
のインクジェット捺染用インク組成物。
【請求項７】
最内層がポリオレフィンで形成されたインク収容体に収容されることを特徴とする、請
求項１ないし請求項６のいずれか一項に記載のインクジェット捺染用インク組成物。
【発明の詳細な説明】
【技術分野】
【０００１】
本発明は、インクジェット捺染用インク組成物に関する。
【背景技術】
【０００２】
インクジェット記録方法は、微細なノズルヘッドからインクの小滴を吐出して飛翔させ
、紙等の記録媒体に付着させて印刷を行う方法である。この方法は、比較的安価な装置で
高解像度かつ高品位な画像を、高速で印刷可能であるという特徴を有する。
【０００３】
近年、インクジェット記録方法を用いて、被染色物である布帛を捺染する技術が提案さ
れている。インクジェット記録方法を利用した捺染方法によれば、階調性及び多色表現性
等に優れた種々の画像を布帛上に容易に形成することができる。
【０００４】
布帛への捺染にインクジェット記録方法を適用する際の重要な基本的条件の一つとして
、プリンタヘッドから連続かつ安定的にインクを吐出させる観点から、インク組成物中の
起泡を抑制することが挙げられる。インク組成物中に気泡が混入すると、プリンタヘッド
が空打ちしやすくなり、いわゆるドット抜けが発生する。そして、そのまま使用を続ける
と最悪の場合プリンタヘッドが故障してしまうことさえある。
【０００５】
このような問題を解決するために、起泡が少なく消泡性が良好なインク組成物が幾つか
提案されている。例えば、特定のベタイン系界面活性剤と、特定グリコールエーテル又は
特定のアルコール又は特定の消泡剤と、を必須成分とするインク組成物が提案されている
（例えば、特許文献１〜３参照）。
【先行技術文献】
【特許文献】
【０００６】
【特許文献１】特開２００８−１２０９７４号公報
【特許文献２】特開２００８−１２０９７６号公報
【特許文献３】特開２００８−１４４１２８号公報
【発明の概要】
【発明が解決しようとする課題】
【０００７】
しかしながら、インクジェット捺染用インク組成物では、着色剤としてアゾ染料を使用
することが多い。アゾ染料は、熱や光によりラジカルと窒素分子に分解してしまうものが
あり、この分解により窒素が発生する。この窒素がインク組成物中で起泡してしまうと、
上述のようにプリンタヘッドからインクを連続かつ安定的に吐出させることが困難となる
という課題がある。
【０００８】
本発明に係る幾つかの態様は、上記課題を解決することで、着色剤としてアゾ染料を含
有するインク組成物中における起泡を効果的に抑制することができ、これにより連続吐出
安定性を向上させたインクジェット捺染用インク組成物を提供するものである。
【課題を解決するための手段】
【０００９】
本発明は上述の課題の少なくとも一部を解決するためになされたものであり、以下の態
様又は適用例として実現することができる。
【００１０】
［適用例１］
本発明に係るインクジェット捺染用インク組成物の一態様は、
着色剤、水、水溶性有機溶剤および界面活性剤を含むインク組成物であって、
前記着色剤としてアゾ染料を含み、
前記インク組成物中に含まれる前記着色剤以外の成分で構成される組成物の曇点が５０
℃以上であることを特徴とする。
【００１１】
適用例１のインクジェット捺染用インク組成物によれば、着色剤として含まれるアゾ染
料の分解によって発生する窒素の起泡を効果的に抑制できるので、プリンタヘッドからの
インクの連続吐出安定性を向上させることができる。
【００１２】
［適用例２］
適用例１のインクジェット捺染用インク組成物において、
前記着色剤以外の成分で構成される組成物の曇点が７０℃以上であることができる。
【００１３】
適用例２のインクジェット捺染用インク組成物によれば、アゾ染料の分解によって発生
する窒素の起泡をさらに効果的に抑制できるので、プリンタヘッドからのインクの連続吐
出安定性をさらに向上させることができる。
【００１４】
［適用例３］
適用例１または適用例２のインクジェット捺染用インク組成物において、
前記インク組成物中における、水の含有量をＭＡ質量％、アゾ染料の含有量をＭＢ質量
％としたときに、ＭＡ／ＭＢの値が１０以下であることができる。
【００１５】
適用例３のインクジェット捺染用インク組成物によれば、界面活性作用を有するアゾ染
料の含有割合が相対的に高くなることで、インク組成物の曇点を高める効果が生じる。こ
れにより、アゾ染料の分解によって発生する窒素の起泡をさらに抑制できるので、プリン
タヘッドからのインクの連続吐出安定性をさらに向上させることができる。
【００１６】
［適用例４］
適用例１ないし適用例３のいずれか一例のインクジェット捺染用インク組成物において
、前記アゾ染料が、Ｃ．Ｉ．アシッドオレンジ３３、Ｃ．Ｉ．アシッドオレンジ９４、Ｃ
．Ｉ．リアクティブブラック３９、Ｃ．Ｉ．リアクティブオレンジ１２およびＣ．Ｉ．リ
アクティブオレンジ１３よりなる群から選択される少なくとも１種であることができる。
【００１７】
適用例４に記載のＣ．Ｉ．アシッドオレンジ３３、Ｃ．Ｉ．アシッドオレンジ９４、Ｃ
．Ｉ．リアクティブブラック３９、Ｃ．Ｉ．リアクティブオレンジ１２およびＣ．Ｉ．リ
アクティブオレンジ１３は、非常に分解されやすいアゾ染料である。しかしながら、適用
例４のインクジェット捺染用インク組成物によれば、これらのアゾ染料を用いた場合であ
っても、アゾ染料の分解によって発生する窒素の起泡を効果的に抑制できるので、プリン
タヘッドからのインクの連続吐出安定性を向上させることができる。
【００１８】
［適用例５］
適用例１ないし適用例４のいずれか一例のインクジェット捺染用インク組成物において
、前記界面活性剤が、非イオン性界面活性剤であることができる。
【００１９】
［適用例６］
適用例５のインクジェット捺染用インク組成物において、
前記非イオン性界面活性剤が、アセチレングリコール系界面活性剤およびアセチレンア
ルコール系界面活性剤よりなる群から選択される少なくとも１種であることができる。
【００２０】
適用例５または適用例６のインクジェット捺染用インク組成物によれば、アゾ染料の分
解によって発生する窒素の起泡をさらに抑制できるので、プリンタヘッドからのインクの
連続吐出安定性をより向上させることができる。
【００２１】
［適用例７］
適用例１ないし適用例６のいずれか一例のインクジェット捺染用インク組成物において
、最内層がポリオレフィンで形成されたインク収容体に収容されることができる。
【００２２】
適用例７のインクジェット捺染用インク組成物によれば、着色剤以外の成分で構成され
る組成物の曇点が５０℃以上であることにより、一般的に使用される温度環境下（例えば
２５℃）において界面活性剤の相分離が起こりにくく、インク組成物の保存安定性が良好
となる。これに対して、着色剤以外の成分で構成される組成物の曇点が５０℃未満のよう
に低い場合には、一般的に使用される温度環境下において界面活性剤の相分離が発生し、
相分離した界面活性剤がインク収容体のポリオレフィンに吸着することになる。これによ
り、インク組成物中の界面活性剤量が少なくなり、保存安定性の低下を引き起こすと共に
、プリンタヘッドからのインクの連続吐出安定性が不良となる場合がある。
【図面の簡単な説明】
【００２３】
【図１】曇点を測定するための装置の構成を示す概念図。
【発明を実施するための形態】
【００２４】
以下に本発明の好適な実施の形態について説明する。以下に説明する実施の形態は、本
発明の一例を説明するものである。また、本発明は、以下の実施の形態に限定されるもの
ではなく、本発明の要旨を変更しない範囲において実施される各種の変形例も含む。
【００２５】
以下、インクジェット捺染用インク組成物について説明する。本明細書において、「イ
ンクジェット捺染」とは、インクジェット方式を利用して被染色物の一種である布帛（の
表面）にインクを染色することをいい、インクジェット記録の一種である。「捺染物」と
は、被染色物の一種である布帛（の表面）にインクが記録されて画像が形成されたものを
いう。
【００２６】
１．インクジェット捺染用インク組成物
本実施の形態に係るインクジェット捺染用インク組成物は、着色剤、水、水溶性有機溶
剤および界面活性剤を含むインク組成物であって、前記着色剤としてアゾ染料を含み、前
記インク組成物中に含まれる前記着色剤以外の成分で構成される組成物の曇点が５０℃以
上であることを特徴とする。かかるインクジェット捺染用インク組成物によれば、着色剤
として含まれるアゾ染料の分解によって発生する窒素の起泡を効果的に抑制することでき
る。この理由については、完全には明らかとはなっていないが、以下のように考えられる
。
【００２７】
一般的に「曇点」とは、透明または半透明な液体が温度変化によって相分離を引き起こ
し、その結果不透明となる温度のことをいう。本発明においては、着色剤以外の成分で構
成される組成物が曇点の温度に達すると、相分離（主に界面活性剤の相分離）が発生する
。そうすると、この組成物中において溶媒や界面活性剤の濃度勾配が発生し、アゾ染料の
分解によって発生する窒素の溶解しやすい部分と溶解しにくい部分とが組成物中に生じ得
る。その結果、窒素の溶解しにくい部分において起泡すると考えられる。したがって、本
発明に係るインクジェット捺染用インク組成物によれば、着色剤以外の成分で構成される
組成物の曇点が通常使用される温度環境下よりも十分に高いため、起泡を効果的に抑制で
きると考えられる。
【００２８】
着色剤以外の成分で構成される組成物の曇点は、５０℃以上である必要があるが、着色
剤として含まれるアゾ染料の分解による起泡をより効果的に抑制する観点から、５５℃以
上１００℃未満であることが好ましく、６０℃以上１００℃未満であることがより好まし
く、７０℃以上１００℃未満であることが特に好ましい。
【００２９】
本発明における曇点は、例えば以下のようにして測定することができる。まず、着色剤
以外の成分、すなわち水、水溶性有機溶剤、界面活性剤、その他の材料を混合して、着色
剤以外の成分で構成される組成物を調製する。次いで、図１に示すような測定装置１００
を準備する。この測定装置１００は、分光光度計１０の内部に、循環恒温槽２に接続され
た温度制御可能なセル４を備えている。セル４には、熱電対８がセル４中の液体と接触可
能となるように挿入されており、熱電対８と電気的に接続されたデータロガー６によりセ
ル４中の温度を計測することができるようになっている。なお、循環恒温槽２としては、
温度が制御できるものであれば特に限定されないが、例えば温水循環タイプの恒温槽を用
いることができる。次いで、上記で得られた組成物をセル４に入れ、循環恒温槽２を用い
てセル４の加温を開始し、組成物の液温をデータロガー６でモニターしながら可視光域（
３００〜８００ｎｍ）の透過率を分光光度計１０により測定する。測定間隔は０．５℃と
し、初期透過率に対して１０％以上透過率が下がった温度を曇点とする。曇点の測定にお
いて着色剤を除いた組成物を使用する理由としては、上述のように本発明では曇点を測定
する際に分光光度計を用いて透過率を測定しており、着色剤を含有する組成物では透過率
の測定が困難となるからである。
【００３０】
次に、本実施の形態に係るインクジェット捺染用インク組成物に含まれる、着色剤、水
、水溶性有機溶剤、界面活性剤、その他の添加剤の順に説明する。
【００３１】
１．１．着色剤
本実施の形態に係るインクジェット捺染用インク組成物は、着色剤として少なくともア
ゾ染料を含有する。アゾ染料は、分子内にアゾ基−Ｎ＝Ｎ−を有しており、アゾ染料の中
には熱や光によりラジカルと窒素分子に容易に分解するものが存在する。本発明では、上
述のようにアゾ染料の分解による窒素の発生を前提としており、インク組成物の曇点を５
０℃以上とすることにより、この窒素をインク中で起泡させないようにすることを特徴と
している。なお、本実施の形態に係るインクジェット捺染用インク組成物は、着色剤とし
てアゾ染料を含有してさえいれば、アゾ染料以外の着色剤を含有してもよい。
【００３２】
アゾ染料としては、分子内にアゾ基を有する染料として知られているものであれば特に
限定されないが、例えば以下に例示する酸性染料、直接染料、反応性染料等の染料が挙げ
られる。
【００３３】
酸性染料としては、Ｃ．Ｉ．アシッドイエロー１、３、６、１１、１７、１８、１９、
２３、２５、３６、３８、４０、４０：１、４２、４４、４９、５９、５９：１、６１、
６５、６７、７２、７３、７９、９９、１０４、１５９、１６９、１７６、１８４、１９
３、２００、２０４、２０７、２１５、２１９、２１９：１、２２０、２３０、２３２、
２３５、２４１、２４２、２４６；Ｃ．Ｉ．アシッドオレンジ３、７、８、１０、１９、
２２、２４、３３、５１、５１Ｓ、５６、６７、７４、８０、８６、８７、８８、８９、
９４、９５、１０７、１０８、１１６、１２２、１２７、１４０、１４２、１４４、１４
９、１５２、１５６、１６２、１６６、１６８、Ｃ．Ｉ．アシッドレッド１、６、８、９
、１３、１８、２７、３５、３７、５２、５４、５７、６０、７３、８２、８８、９７、
９７：１、１０６、１１１、１１４、１１８、１１９、１２７、１３１、１３８、１４３
、１４５、１５１、１８３、１９５、１９８、２１１、２１５、２１７、２２５、２２６
、２４９、２５１、２５４、２５６、２５７、２６０、２６１、２６５、２６６、２７４
、２７６、２７７、２８９、２９６、２９９、３１５、３１８、３３６、３３７、３５７
、３５９、３６１、３６２、３６４、３６６、３９９、４０７、４１５；Ｃ．Ｉ．Ａｃｉ
ｄ  Ｖｉｏｒｅｔ１７、１９、２１、４２、４３、４７、４８、４９、５４、６６、７８
、９０、９７、１０２、１０９、１２６；Ｃ．Ｉ．アシッドブルー１、７、９、１５、２
３、２５、４０、６１：１、６２、７２、７４、８０、８３、９０、９２、１０３、１０
４、１１２、１１３、１１４、１２０、１２７、１２７：１、１２８、１２９、１３８、
１４０、１４２、１５６、１５８、１７１、１８２、１８５、１９３、１９９、２０１、
２０３、２０４、２０５、２０７、２０９、２２０、２２１、２２４、２２５、２２９、
２３０、２３９、２５８、２６０、２６４、２７７：１、２７８、２７９、２８０、２８
４、２９０、２９６、２９８、３００、３１７、３２４、３３３、３３５、３３８、３４
２、３５０；Ｃ．Ｉ．アシッドグリーン９、１２、１６、１９、２０、２５、２７、２８
、４０、４３、５６、７３、８１、８４、１０４、１０８、１０９；Ｃ．Ｉ．アシッドブ
ラウン２、４、１３、１４、１９、２８、４４、１２３、２２４、２２６、２２７、２４
８、２８２、２８３、２８９、２９４、２９７、２９８、３０１、３５５、３５７、４１
３；Ｃ．Ｉ．アシッドブラック１、２、３、２４、２４：１、２６、３１、５０、５２、
５２：１、５８、６０、６３、６３Ｓ、１０７、１０９、１１２、１１９、１３２、１４
０、１５５、１７２、１８７、１８８、１９４、２０７、２２２等が挙げられる。
【００３４】
直接染料としては、Ｃ．Ｉ．ダイレクトイエロー８、９、１０、１１、１２、２２、２
７、２８、３９、４４、５０、５８、８６、８７、９８、１０５、１０６、１３０、１３
７、１４２、１４７、１５３；Ｃ．Ｉ．ダイレクトオレンジ６、２６、２７、３４、３９
、４０、４６、１０２、１０５、１０７、１１８；Ｃ．Ｉ．ダイレクトレッド２、４、９
、２３、２４、３１、５４、６２、６９、７９、８０、８１、８３、８４、８９、９５、
２１２、２２４、２２５、２２６、２２７、２３９、２４２、２４３、２５４；Ｃ．Ｉ．
ダイレクトバイオレット９、３５、５１、６６、９４、９５；Ｃ．Ｉ．ダイレクトブルー
１、１５、７１、７６、７７、７８、８０、８６、８７、９０、９８、１０６、１０８、
１６０、１６８、１８９、１９２、１９３、１９９、２００、２０１、２０２、２０３、
２１８、２２５、２２９、２３７、２４４、２４８、２５１、２７０、２７３、２７４、
２９０、２９１；Ｃ．Ｉ．ダイレクトグリーン２６、２８、５９、８０、８５；Ｃ．Ｉ．
ダイレクトブラウン４４、４４：１、１０６、１１５、１９５、２０９、２１０、２１２
：１、２２２、２２３、Ｃ．Ｉ．ダイレクトブラック１７、１９、２２、３２、５１、６
２、１０８、１１２、１１３、１１７、１１８、１３２、１４６、１５４、１５９、１６
９等が挙げられる。
【００３５】
反応性染料としては、Ｃ．Ｉ．リアクティブイエロー２、３、７、１５、１７、１８、
２２、２３、２４、２５、２７、３７、３９、４２、５７、６９、７６、８１、８４、８
５、８６、８７、９２、９５、１０２、１０５、１１１、１２５、１３５、１３６、１３
７、１４２、１４３、１４５、１５１、１６０、１６１、１６５、１６７、１６８、１７
５、１７６；Ｃ．Ｉ．リアクティブオレンジ１、４、５、７、１１、１２、１３、１５、
１６、２０、３０、３５、５６、６４、６７、６９、７０、７２、７４、８２、８４、８
６、８７、９１、９２、９３、９５、１０７；Ｃ．Ｉ．リアクティブレッド２、３、３：
１、５、８、１１、２１、２２、２３、２４、２８、２９、３１、３３、３５、４３、４
５、４９、５５、５６、５８、６５、６６、７８、８３、８４、１０６、１１１、１１２
、１１３、１１４、１１６、１２０、１２３、１２４、１２８、１３０、１３６、１４１
、１４７、１５８、１５９、１７１、１７４、１８０、１８３、１８４、１８７、１９０
、１９３、１９４、１９５、１９８、２１８、２２０、２２２、２２３、２２６、２２８
、２３５；Ｃ．Ｉ．リアクティブバイオレット１、２、４、５、６、２２、２３、３３、
３６、３８；Ｃ．Ｉ．リアクティブブルー２、３、４、７、１３、１４、１５、１９、２
１、２５、２７、２８、２９、３８、３９、４１、４９、５０、５２、６３、６９、７１
、７２、７７、７９、８９、１０４、１０９、１１２、１１３、１１４、１１６、１１９
、１２０、１２２、１３７、１４０、１４３、１４７、１６０、１６１、１６２、１６３
、１６８、１７１、１７６、１８２、１８４、１９１、１９４、１９５、１９８、２０３
、２０４、２０７、２０９、２１１、２１４、２２０、２２１、２２２、２３１、２３５
、２３６；Ｃ．Ｉ．リアクティブグリーン８、１２、１５、１９、２１；Ｃ．Ｉ．リアク
ティブブラウン２、７、９、１０、１１、１７、１８、１９、２１、２３、３１、３７、
４３、４６；Ｃ．Ｉ．リアクティブブラック５、８、１３、１４、３１、３４、３９等が
挙げられる。
【００３６】
これらのアゾ染料は、１種単独で用いてもよく、２種以上併用してもよい。
【００３７】
これらのアゾ染料の中でも、Ｃ．Ｉ．アシッドオレンジ３３、Ｃ．Ｉ．アシッドオレン
ジ９４、Ｃ．Ｉ．リアクティブブラック３９、Ｃ．Ｉ．リアクティブオレンジ１２、Ｃ．
Ｉ．リアクティブオレンジ１３は、熱や光によりアゾ基が非常に分解しやすいことがわか
っている。そのため、本発明では、アゾ染料としてＣ．Ｉ．アシッドオレンジ３３、Ｃ．
Ｉ．アシッドオレンジ９４、Ｃ．Ｉ．リアクティブブラック３９、Ｃ．Ｉ．リアクティブ
オレンジ１２およびＣ．Ｉ．リアクティブオレンジ１３よりなる群から選択される少なく
とも１種を使用した場合に、分解によって発生する窒素の起泡を抑制するという効果が特
に発揮される。
【００３８】
本実施の形態に係るインクジェット捺染用インク組成物中のアゾ染料の含有量は特に限
定されないが、０．０１〜１０質量％、好ましくは０．５〜８質量％、より好ましくは１
〜７質量％の範囲とするのがよい。上記範囲であれば、十分な発色濃度の捺染物を得るこ
とができる。
【００３９】
１．２．水
本実施の形態に係るインクジェット捺染用インク組成物は、液状媒体としての水を含有
する。水としては、イオン交換水、限外濾過水、逆浸透水、蒸留水等の純水、または超純
水を用いることが好ましい。特に、これらの水を、紫外線照射または過酸化水素添加等に
より滅菌処理した水は、長期間に亘ってカビやバクテリアの発生が防止されるので好まし
い。インク組成物中における水の含有量は、特に限定されないが、好ましくは４０〜９０
質量％、より好ましくは５５〜７０質量％である。
【００４０】
なお、本実施の形態に係るインクジェット捺染用インク組成物中における、水の含有量
をＭＡ質量％、アゾ染料の含有量をＭＢ質量％としたときに、ＭＡ／ＭＢの値が１０以下
であることが好ましい。上記例示したアゾ染料は、後述する界面活性剤と同程度もしくは
それ以下の界面活性作用を有する。したがって、インク組成物中におけるＭＡ／ＭＢの値
が１０以下であると、インク組成物中におけるアゾ染料の含有割合が相対的に高くなるた
め、インク組成物の曇点をさらに高めることができる。これにより、アゾ染料の分解によ
って発生する窒素の起泡をさらに抑制できるので、プリンタヘッドからのインクの連続吐
出安定性をさらに向上させることができる。
【００４１】
１．３．水溶性有機溶剤
本実施の形態に係るインクジェット捺染用インク組成物は、プリンタヘッドからのイン
クの連続吐出安定性を向上させる観点から、２５℃の水１００ｇに対する溶解度が１ｇ／
１００ｇ以上の水溶性有機溶剤を含有する。また、水溶性有機溶剤の種類や含有量を適宜
変更することで、インク組成物の曇点を微調整することもできる。水溶性有機溶剤として
は、例えば、メタノール、エタノール、イソプロピルアルコール等のアルコール類；アセ
トン、ジアセトンアルコール等のケトンまたはケトアルコール類；テトラヒドロフラン、
ジオキサン等のエーテル類；グリセリン、エチレングリコール、ジエチレングリコール、
トリエチレングリコール、ポリエチレングリコール、プロピレングリコール、ジプロピレ
ングリコール、トリプロピレングリコール、ポリプロピレングリコール、プロパンジオー
ル、ブタンジオール、ペンタンジオール、ヘキシレングリコール、１，３−プロパンジオ
ール、１，４−ブタンジオール、１，２−ヘキサンジオール、１，５−ペンタンジオール
、１，６−ヘキサンジオール、１，２，６−ヘキサントリオール、ペンタエリスリトール
等のポリオール類；エチレングリコールモノメチルエーテル、ジエチレングリコールモノ
メチルエーテル、ジエチレングリコールモノエチルエーテル、ジエチレングリコールモノ
ブチルエーテル、トリエチレングリコールモノメチルエーテル、トリエチレングリコール
モノブチルエーテル等のグリコールの低級アルキルエーテル類；２−ピロリドン、Ｎ−メ
チル−２−ピロリドン、ε−カプロラクタム等のラクタム類等が挙げられる。これらの中
でも、グリセリン、ジエチレングリコール、トリエチレングリコール、エチレングリコー
ル、エチレングリコールモノメチルエーテル、ジエチレングリコールモノブチルエーテル
、トリエチレングリコールモノメチルエーテル、トリエチレングリコールモノブチルエー
テル、２−ピロリドンを好適に用いることができる。また、これらの水溶性有機溶剤は、
１種類または２種類以上を組み合わせて用いることができる。
【００４２】
本実施の形態に係るインクジェット捺染用インク組成物中における水溶性有機溶剤の含
有量は、ノズルの目詰まり防止や滲み防止の観点から、好ましくは５〜５０質量％、より
好ましくは１０〜４０質量％、特に好ましくは２０〜３０質量％である。
【００４３】
１．４．界面活性剤
本実施の形態に係るインクジェット捺染用インク組成物は、インクの曇点を高める観点
から、界面活性剤を含有する。界面活性剤としては、着色剤としてのアゾ染料と布帛がイ
オン結合により結合するため、その結合の阻害を防ぐ観点から、イオン性界面活性剤より
も非イオン性界面活性剤が好ましい。
【００４４】
非イオン性界面活性剤としては、例えば、ポリオキシエチレンノニルフェニルエーテル
、ポリオキシエチレンオクチルフェニルエーテル、ポリオキシエチレンドデシルフェニル
エーテル、ポリオキシエチレンオレイルエーテル、ポリオキシエチレンラウリルエーテル
、ポリオキシエチレンアルキルエーテル等のエーテル系界面活性剤；ポリオキシエチレン
オレイン酸エステル、ポリオキシエチレンジステアリン酸エステル、ソルビタンラウレー
ト、ソルビタンモノステアレート、ソルビタンモノオレエート、ソルビタンセスキオレエ
ート、ポリオキシエチレンモノオレエート、ポリオキシエチレンステアレート等のエステ
ル系界面活性剤；２，４，７，９−テトラメチル−５−デシン−４，７−ジオール、３，
６−ジメチル−４−オクチン−３，６−ジオール、３，５−ジメチル−１−ヘキシン−３
−オール等のアセチレングリコールまたはアセチレンアルコール系界面活性剤が挙げられ
る。
【００４５】
これらの非イオン性界面活性剤の中でも、アセチレングリコール系界面活性剤および／
またはアセチレンアルコール系界面活性剤を使用することが好ましい。アセチレングリコ
ール系界面活性剤および／またはアセチレンアルコール系界面活性剤を用いることで、イ
ンク組成物の曇点を５０℃以上とすることが可能となるだけでなく、さらに滲みが低減さ
れた高品質の捺染物を得ることができる。
【００４６】
アセチレングリコール系界面活性剤の具体例としては、オルフィンＥ１００４、Ｅ１０
１０、ＰＤ００１、ＰＤ００２Ｗ、ＳＰＣ；サーフィノール１０４、４２０、４４０、４
６５、４８５、ＳＴＧ（以上、日信化学工業株式会社製）；アセチレノールＥ００、Ｅ４
０、Ｅ１００、ＬＨ（以上、川研ファインケミカル株式会社製）等が挙げられる。
【００４７】
これらの界面活性剤は、１種単独または２種以上組み合わせて用いることができる。本
実施の形態に係るインクジェット捺染用インク組成物における界面活性剤の含有量は、イ
ンク組成物の曇点が５０℃以上となる量であれば特に制限されないが、通常０．１〜３質
量％、好ましくは０．５〜２質量％である。
【００４８】
１．５．その他の添加剤
また、本発明の好ましい態様によれば、本実施の形態に係るインクジェット捺染用イン
ク組成物は、その諸特性を改善するために添加剤として、ｐＨ調整剤、防腐剤、防かび剤
、染料溶解助剤、酸化防止剤、消泡剤、また導電率調整剤、濃染剤、均染剤、浸透剤等を
含有することができる。
【００４９】
本実施の形態に係るインクジェット捺染用インク組成物のｐＨは、好ましくは５以上９
以下、より好ましくは７以上８以下である。インクのｐＨが上記範囲にあると、アゾ染料
の分解抑制作用が働くため、窒素の発生を低減できる点で好ましい。すなわち、本実施の
形態に係るインクジェット捺染用インク組成物は、ｐＨを上記範囲とすることにより、ア
ゾ染料の分解による窒素の発生量を低減できると共に、窒素が発生した場合であっても窒
素の起泡を抑制できるので、インク組成物中に気泡が混入することをより一層抑制するこ
とができる。
【００５０】
ｐＨ調整剤としては、例えば、ジエタノールアミン、トリエタノールアミン、プロパノ
ールアミン、モルホリン等のアミン類及びこれらの変成物；酢酸、クエン酸、フタル酸、
シュウ酸、コハク酸、アジピン酸、アミノ酸等の有機酸；水酸化ナトリウム、水酸化リチ
ウム等の無機塩類；水酸化アンモニウム、四級アンモニウム水酸化物（テトラメチルアン
モニウム）等が挙げられる。
【００５１】
防腐剤、防かび剤の好ましい具体例としては、安息香酸ナトリウム、ペンタクロロフェ
ノールナトリウム、２−ピリジンチオール−１−オキサイドナトリウム、ソルビン酸ナト
リウム、デヒドロ酢酸ナトリウム、１，２−ジベンゾイソチアゾリン−３−オン（ゼネカ
社のプロキセルＣＲＬ、プロキセルＢＤＮ、プロキセルＧＸＬ、プロキセルＸＬ．２、プ
ロキセルＴＮ、プロキセルＬＶ）、４−クロロ−３−メチルフェノール（バイエル社のプ
リベントールＣＭＫ等）などが挙げられる。
【００５２】
さらに、濃染剤、均染剤、浸透剤の例としては、水性ウレタン樹脂、脂肪酸アルコール
、ポリエチレングリコール、アニオン界面活性剤、一価および二価の無機塩（塩化カリウ
ム、塩化ナトリウム、塩化リチウム、塩化マグネシウム、硫酸カリウム、硫酸ナトリウム
、硫酸リチウム、硫酸マグネシウム）などが挙げられる。
【００５３】
本実施の形態に係るインクジェット捺染用インク組成物は、印字品質とプリンタヘッド
からの吐出安定性とのバランスの観点から、表面張力が２５〜４０ｍＮ／ｍであることが
好ましく、２８〜３５ｍＮ／ｍであることがより好ましい。また、同様の観点から、本実
施の形態に係るインクジェット捺染用インク組成物の２０℃における粘度は、２０℃で８
．０ｍ・Ｐａ・ｓ以下、好ましくは１．５〜６．０ｍ・Ｐａ・ｓである。
【００５４】
本実施の形態に係るインクジェット捺染用インク組成物は、上記した各成分を混合して
溶解させたものを、メンブレンフィルター等のフィルターを用いて濾過することにより調
製することができる。
【００５５】
１．６．インク組成物の収容体
本実施の形態に係るインクジェット捺染用インク組成物は、最内層がポリオレフィンで
形成されたインク収容体に収容することができる。着色剤以外の成分で構成される組成物
の曇点が５０℃以上であることにより、一般的に使用される温度環境下（例えば２５℃）
において界面活性剤の相分離が起こりにくくなるため、インク組成物の保存安定性が良好
となる。これに対して、着色剤以外の成分で構成される組成物の曇点が５０℃未満のよう
に低い場合には、一般的に使用される温度環境下において界面活性剤の相分離が発生し、
相分離した界面活性剤がインク収容体のポリオレフィンに吸着することになる。これによ
り、インク組成物中の界面活性剤量が少なくなり、保存安定性の低下を引き起こす場合が
ある。また、これに伴ってインク組成物の表面張力が上昇することにより、プリンタヘッ
ドからの吐出安定性が損なわれる場合がある。
【００５６】
インク収容体は、最内層がポリオレフィンで形成されているものであれば特に制限され
ないが、プラスチックケースまたはアルミ蒸着多層構造フィルムを貼り合わせて作製した
袋状の容器（いわゆるインクパック）から構成されることが好ましい。
【００５７】
インク収容体の最内層を構成するポリオレフィンについても特に制限されないが、一般
的に用いられるポリエチレンまたはポリプロピレンであることが好ましい。
【００５８】
１．７．捺染方法
本実施の形態に係るインクジェット捺染用インク組成物を用いて、いわゆるインクジェ
ット捺染を実施することができる。インクジェット捺染は、布帛にインクジェット記録装
置から上記のインク組成物を吐出して付着させる工程、インク組成物を布帛に定着させる
工程、および洗浄する工程から主に構成される。各工程には、公知の方法および操作を使
用することができる。
【００５９】
布帛を構成する素材としては、特に制限されないが、羊毛、絹等の動物性繊維、ナイロ
ン、ポリアミド等の繊維、またはこれらの２種以上の繊維からなる混紡を含有するものが
挙げられる。布帛としては、上記に挙げた繊維を、織物、編物、不織布等いずれの形態に
したものでもよい。また、上記のような布帛を構成する糸の太さとしては、１０〜１００
ｄの範囲が好ましい。
【００６０】
１．７．１．インク付着工程
インク付着工程では、インクジェット記録方式により吐出されたインク滴を布帛に付着
させる。インクジェット記録方式としては、いずれの方式でもよく、荷電偏向方式、コン
ティニュアス方式、オンデンマンド方式（ピエゾ式、バブルジェット（登録商標）式）な
どが挙げられる。これらのインクジェット記録方式の中でも、ピエゾ式のインクジェット
記録装置は、インク中の気泡によって吐出安定性が損なわれやすいため、ピエゾ式の場合
に本願発明の効果が特に現れる。
【００６１】
前記のインク付着工程に先立って布帛に前処理剤を付与する前処理剤付与工程を備えて
いてもよい。例えば、滲み防止や布帛へのインクの浸透促進を目的として、水溶性高分子
類（糊剤）、カチオン性物質、撥水剤等を含む前処理剤を布帛に付与することができる。
また、インクが付着する面と反対面に浸透させることを目的として、表面張力調整剤、水
溶性有機溶剤等を含む前処理剤を布帛に付与することができる。
【００６２】
１．７．２．定着工程
インクが付与された布帛をスチーマー等で熱処理をしてインクを布帛に定着させる工程
を備えていてもよい。熱処理は従来公知の方法を用いることが可能であり、例えば、ＨＴ
法（高温スチーミング法）、ＨＰ法（高圧スチーミング法）、サーモゾル法等が挙げられ
る。
【００６３】
１．７．３．洗浄工程
インクが付与された布帛を洗浄する洗浄工程を備えていてもよい。具体的には、布帛を
水道水で揉み洗いした後に、５０℃程度の温水中に、ノニオン性ソーピング剤を添加し、
時々撹拌しながら１５分間程度浸ける。浴比（印捺布重量／浴重量）は１／５０であるこ
とが好ましい。更に洗浄液中に水道水を入れながら手揉み洗いをする。十分に水洗した後
に布を乾燥させ、アイロンを掛けして捺染物を得ることができる。
【００６４】
２．実施例
以下、本発明を実施例に基づいて具体的に説明するが、本発明はこれらの実施例に限定
されるものではない。実施例、比較例中の「部」および「％」は、特に断らない限り質量
基準である。
【００６５】
２．１．インクジェット捺染用インク組成物の製造
表１に示す、着色剤（アゾ染料）、グリセリン、トリエチレングリコール、トリエチレ
ングリコールモノブチルエーテル、２−ピロリドン、オルフィンＥ１０１０（日信化学工
業株式会社製、アセチレングリコール系界面活性剤）、オルフィンＰＤ００２Ｗ（日信化
学工業株式会社製、アセチレングリコール系界面活性剤）を加え、さらにイオン交換水、
トリエタノールアミンを加えて合計１００質量部とした。これを十分に混合撹拌した後、
孔径５．０μｍのメンブレンフィルターでろ過することにより、表１に示す各インクジェ
ット捺染用インク組成物を調製した。
【００６６】
２．２．曇点の測定方法
上記インクジェット捺染用インク組成物の製造において、着色剤を除いたこと以外は同
様にして、着色剤以外の成分で構成される組成物を調製した。次いで、図１に示すような
測定装置１００を準備した。この測定装置１００は、分光光度計１０の内部に、循環恒温
槽２に接続された温度制御可能なセル４を備えている。セル４には、熱電対８がセル４中
の液体と接触可能となるように挿入されており、熱電対８と電気的に接続されたデータロ
ガー６によりセル４中の温度を計測することができるようになっている。次いで、上記で
得られた組成物をセル４に入れ、循環恒温槽２を用いてセル４の加温を開始し、組成物の
液温をデータロガー６でモニターしながら可視光域（３００〜８００ｎｍ）の透過率を分
光光度計１０により測定した。測定間隔は０．５℃とし、初期透過率に対して１０％以上
透過率が下がった温度を曇点とした。測定装置で使用した各機器は以下の通りである。得
られた曇点の測定結果を表１に併せて示す。
＜測定装置＞
・分光光度計：Ｊａｓｃｏ紫外可視分光光度計（ＵＶ−ＶＩＳ）Ｖ−５７０型
・循環恒温槽：ＬＡＵＤＡ循環恒温槽Ｅ１００
・液温モニター：ＮＫＴＣデータロガーＮ５４２Ｒ
【００６７】
２．３．評価方法
インクジェットプリンターＰＸ−Ｇ９３０（セイコーエプソン株式会社製）を用いて、
３５℃環境下において上記で調製したインクジェット捺染用インク組成物をＡ４普通紙上
にｄｕｔｙ１００％でベタパターンを連続１５０枚印字した。画像解像度は７２０×７２
０ｄｐｉとした。ここで、「ｄｕｔｙ値」とは、下式で算出される値である。
ｄｕｔｙ（％）＝（実吐出ドット数／（縦解像度×横解像度））×１００
（式中、「実吐出ドット数」は単位面積当たりの実吐出ドット数であり、「縦解像度」お
よび「横解像度」はそれぞれ単位面積当たりの解像度である。）
【００６８】
インクジェット捺染用インク組成物の連続吐出安定性ついて、以下の基準により評価し
た。その結果を表１に併せて示す。
ＡＡ：Ａ４ベタ１５０枚印字において、ドット抜けなし。
Ａ  ：Ａ４ベタ１５０枚印字において、ドット抜け１本以上３本以下。
Ｂ  ：Ａ４ベタ１５０枚印字において、ドット抜け４本以上１０本以下。
Ｃ  ：Ａ４ベタ１５０枚印字において、ドット抜け１１本以上２０本以下。
Ｄ  ：Ａ４ベタ１５０枚印字において、ドット抜け２１本以上５０本以下。
Ｅ  ：Ａ４ベタ１５０枚印字において、ドット抜け５１本以上。
【００６９】
２．４．評価結果
表１に、各インクジェット捺染用インク組成物の組成及び評価試験の結果を示す。
【００７０】
【表１】
2015117297.tif 000002
【００７１】
実施例１〜６の結果から、着色剤以外の成分で構成されたインク組成物の曇点が５０℃
以上であれば、連続印字安定性の評価がＣ以上となることが判った。特に曇点が７０℃以
上である実施例３〜６では、連続吐出安定性の評価がＡ以上となることが判った。
【００７２】
また、実施例１と実施例２、実施例３と実施例５の結果を対比すると、インク組成物中
におけるアゾ染料の含有割合が高くなるほど、連続吐出安定性の評価が良好となることが
判った。これは、インク組成物中のアゾ染料が界面活性作用を有することにより、インク
組成物の曇点が引き上げられたことによるものと考えられる。
【００７３】
これに対して、比較例１〜２では、着色剤以外の成分で構成されたインク組成物の曇点
が５０℃未満であるため、連続吐出安定性の評価がＤ〜Ｅとなることが判った。
【００７４】
本発明は、上述した実施形態に限定されるものではなく、種々の変形が可能である。例
えば、本発明は、実施形態で説明した構成と実質的に同一の構成（例えば、機能、方法お
よび結果が同一の構成、あるいは目的および効果が同一の構成）を含む。また、本発明は
、実施形態で説明した構成の本質的でない部分を置き換えた構成を含む。また、本発明は
、実施形態で説明した構成と同一の作用効果を奏する構成または同一の目的を達成するこ
とができる構成を含む。また、本発明は、実施形態で説明した構成に公知技術を付加した
構成を含む。
【符号の説明】
【００７５】
２…循環恒温槽、４…セル、６…データロガー、８…熱電対、１０…分光光度計、１００
…測定装置
【図１】
2015117297.tif 000003